(57)【特許請求の範囲】
【請求項１】
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段と、
前記被検眼に対する前記照射手段の位置が許容範囲の内か外かを示す情報に基づいて、前記被検眼に対する前記照射手段の位置が前記眼底画像の取得可能な範囲内か否かを判断する判断手段と、
を有することを特徴とする眼科装置。
【請求項２】
前記判断手段により前記被検眼に対する前記照射手段の位置が前記許容範囲の外であると判断された場合、警告表示を表示手段に表示させる表示制御手段を有することを特徴とする請求項１に記載の眼科装置。
【請求項３】
前記警告表示に対して、前記被検眼に対する前記照射手段の位置を移動するか否かの選択を待ち受ける状態となることを特徴とする請求項２に記載の眼科装置。
【請求項４】
前記判断手段により前記被検眼に対する前記照射手段の位置が前記許容範囲の外であると判断された場合、前記被検眼に対して前記照射手段の位置を移動する移動手段を有することを特徴とする請求項１乃至３のいずれか１項に記載の眼科装置。
【請求項５】
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段と、
前記被検眼に対する前記照射手段の位置が許容範囲の外である場合に、前記被検眼に対して前記照射手段の位置を移動する移動手段と、
を有することを特徴とする眼科装置。
【請求項６】
前記移動手段の移動に応じて可視光である前記第２の光により前記被検眼の眼底画像を取得することを特徴とする請求項４または請求項５に記載の眼科装置。
【請求項７】
前記移動手段は、前記照射手段を含む光学ヘッド部を前記被検眼に対して移動する機構であることを特徴とする請求項４乃至６のいずれか１項に記載の眼科装置。
【請求項８】
前記第１の光を用いて前記断層画像を取得する断層画像取得手段と、
前記第２の光を用いて前記眼底画像を取得する眼底画像取得手段と、を有し、
前記断層画像取得手段の光学系の一部と眼底画像取得手段の光学系の一部とが共用されることを特徴とする請求項１乃至７のいずれか１項に記載の眼科装置。
【請求項９】
被検眼の断層画像を取得するための第１の光と、前記被検眼の屈折力を取得するためであり且つ前記被検眼における前記第１の光の照射領域の径よりも大きい照射領域の径となる第２の光とをそれぞれ前記被検眼に照射する照射手段と、
前記被検眼に対する前記照射手段の位置が許容範囲の内か外かを示す情報に基づいて、前記被検眼に対する前記照射手段の位置が前記屈折力の取得可能な範囲内か否かを判断する判断手段と、
を有することを特徴とする眼科装置。
【請求項１０】
前記判断手段が、前記被検眼の眼底画像の明るさと該眼底画像と前記被検眼の眼軸との距離とのうち少なくとも一方に基づいて、前記判断を行うことを特徴とする請求項１乃至４、９のいずれか１項に記載の眼科装置。
【請求項１１】
前記判断手段による判断を行う前に取得する前記被検眼の眼底画像が、赤外光により取得されることを特徴とする請求項１乃至４、９、１０のいずれか１項に記載の眼科装置。
【請求項１２】
前記情報は、前記断層画像を取得した際における前記位置が許容範囲の内か外かを示す情報であることを特徴とする請求項１乃至４、９乃至１１のいずれか１項に記載の眼科装置。
【請求項１３】
前記第２の光は、前記被検眼の前眼部における前記第１の光の照射領域の径よりも大きい照射領域の径となることを特徴とする請求項１乃至１２のいずれか１項に記載の眼科装置。
【請求項１４】
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段を有する眼科装置の制御方法であって、
前記被検眼に対する前記照射手段の位置が許容範囲の内か外かを示す情報に基づいて、前記被検眼に対する前記照射手段の位置が前記眼底画像の取得可能な範囲内か否かを判断する工程を有することを特徴とする眼科装置の制御方法。
【請求項１５】
前記被検眼に対する前記照射手段の位置が前記許容範囲の外であると判断された場合、警告表示を表示手段に表示させる工程を有することを特徴とする請求項１４に記載の眼科装置の制御方法。
【請求項１６】
前記警告表示に対して、前記被検眼に対する前記照射手段の位置を移動するか否かの選択を待ち受ける状態となる工程を有することを特徴とする請求項１５に記載の眼科装置の制御方法。
【請求項１７】
前記被検眼に対する前記照射手段の位置が前記許容範囲の外であると判断された場合、前記被検眼に対して前記照射手段の位置を移動する工程を有することを特徴とする請求項１４乃至１６のいずれか１項に記載の眼科装置の制御方法。
【請求項１８】
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段を有する眼科装置の制御方法であって、
前記被検眼に対する前記照射手段の位置が許容範囲の外である場合に、前記被検眼に対して前記照射手段の位置を移動する工程を有することを特徴とする眼科装置の制御方法。
【請求項１９】
前記移動する工程における前記移動に応じて可視光である前記第２の光により前記被検眼の眼底画像を取得する工程を有することを特徴とする請求項１７または請求項１８に記載の眼科装置の制御方法。
【請求項２０】
被検眼の断層画像を取得するための第１の光と、前記被検眼の屈折力を取得するためであり且つ前記被検眼における前記第１の光の照射領域の径よりも大きい照射領域の径となる第２の光とをそれぞれ前記被検眼に照射する照射手段を有する眼科装置の制御方法であって、
前記被検眼に対する前記照射手段の位置が許容範囲の内か外かを示す情報に基づいて、前記被検眼に対する前記照射手段の位置が前記屈折力の取得可能な範囲内か否かを判断する工程を有することを特徴とする眼科装置の制御方法。
【請求項２１】
請求項１４乃至２０のいずれか１項に記載の眼科装置の制御方法の各工程をコンピュータに実行させることを特徴とするプログラム。
【発明の詳細な説明】
【技術分野】
【０００１】
本発明は眼科装置および眼科装置の制御方法、そのプログラムに関し、特に被検眼の眼底の２次元画像である表面画像および３次元画像である断層画像を取得するために用いられる眼科装置および眼科装置の制御方法に関する。
【背景技術】
【０００２】
近年、低コヒーレンス光による干渉を利用して断層画像を取得する光干渉断層法（ＯＣＴ：Ｏｐｔｉｃａｌ  Ｃｏｈｅｒｅｎｃｅ  Ｔｏｍｏｇｒａｐｈｙ）を用いる装置（以下、これをＯＣＴ装置と記す。）が実用化されている。
このＯＣＴ装置は、被検査物に入射する光の波長程度の分解能で３次元画像である断層画像（以下、これを断層画像と記す。）を取得できるため、被検査物の断層画像を高分解能で得ることができる。
ＯＣＴ装置は、特に、眼底に位置する網膜の断層画像を得るための眼科装置として有用である。
【０００３】
さらに、ＯＣＴ装置と共に、他の眼科装置として眼底カメラ（眼底の２次元画像を撮像するための装置）との複合装置も有用な装置である。
このような複合装置として、特許文献１には上記した眼底の２次元画像（以下、これを眼底画像と記す。）と断層画像とを同時に撮像可能な装置が開示されている。
この装置では、ＯＣＴ装置が眼底カメラの光コネクタに接続される構成が採られている。そして、眼底カメラに備えられるジョイスティックの操作ボタンが押下されることにより、眼底画像と断層画像とを順次撮像することが可能に構成されている。
【先行技術文献】
【特許文献】
【０００４】
【特許文献１】特開２００７−２５２６９３号公報
【発明の概要】
【発明が解決しようとする課題】
【０００５】
ところで、ＯＣＴ装置と眼底カメラの観察瞳孔径には、差がある場合が多いことから、つぎのような課題を生じる。
すなわち、一例を挙げると、ＯＣＴ装置がφ１ｍｍ程度、眼底カメラはφ４ｍｍ程度である。
これらを融合した装置におけるアライメント動作の一例についてみると、つぎのような点が課題となる。
前眼部などを観察して眼底に対してアライメントを行った後、断層画像撮像を行う際、白内障などにより部分的に濁りがある被検眼の場合、光軸をずらすことで断層が明るく撮像できる場合がある。
但し、その状態では観察瞳孔径がＯＣＴ装置に比して大きい眼底カメラにおいてはアライメントがずれて、眼底カメラにより撮像する眼底画像において、入射光の前眼部でのケラレ等により不良が生じる場合があった。
このように、断層画像撮像と眼底画像撮像との間で、アライメントの最適位置が違う場合に、従来においては上記状態を検者が判断し、断層画像撮像と眼底画像撮像をアライメントを変えて順次撮像を行っていた。
その際、断層画像撮像のアライメント用の表示と、眼底画像のアライメント用の表示は別であることなどから、断層画像撮像でのアライメントを行っている際に、眼底画像のアライメントの良否を判断することは、検者にとってきわめて煩雑であった。
このような課題に対して、上記した従来例における特許文献１の眼底観察装置等においては、何も配慮されていないものであった。
【０００６】
本発明は、上記課題に鑑み、被検眼の断層画像の撮像と眼底画像の撮像とを行うに際し、
これらの撮像におけるアライメント位置の調整操作の煩雑さを軽減することが可能となる眼科装置および眼科装置の制御方法、そのプログラムの提供を目的とする。
【課題を解決するための手段】
【０００７】
本発明は、つぎのように構成した眼科装置および眼科装置の制御方法、そのプログラムを提供するものである。
本発明の眼科装置の一つは、
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段と、
前記被検眼に対する前記照射手段の位置が許容範囲の内か外かを示す情報に基づいて、前記被検眼に対する前記照射手段の位置が前記眼底画像の取得可能な範囲内か否かを判断する判断手段と、を有する。
また、本発明の眼科装置の一つは、
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段と、
前記被検眼に対する前記照射手段の位置が許容範囲の外である場合に、前記被検眼に対して前記照射手段の位置を移動する移動手段と、を有する。
また、本発明の眼科装置の一つは、
被検眼の断層画像を取得するための第１の光と、前記被検眼の屈折力を取得するためであり且つ前記被検眼における前記第１の光の照射領域の径よりも大きい照射領域の径となる第２の光とをそれぞれ前記被検眼に照射する照射手段と、
前記被検眼に対する前記照射手段の位置が許容範囲の内か外かを示す情報に基づいて、前記被検眼に対する前記照射手段の位置が前記屈折力の取得可能な範囲内か否かを判断する判断手段と、を有する。
また、本発明の眼科装置の制御方法の一つは、
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段を有する眼科装置の制御方法であって、
前記被検眼に対する前記照射手段の位置が許容範囲の内か外かを示す情報に基づいて、前記被検眼に対する前記照射手段の位置が前記眼底画像の取得可能な範囲内か否かを判断する工程を有する。
また、本発明の眼科装置の制御方法の一つは、
被検眼の断層画像を取得するための第１の光と、前記被検眼の眼底画像を取得するためであり且つ前記被検眼における前記第１の光の照射領域の径よりも大きい照射領域の径となる第２の光とをそれぞれ前記被検眼に照射する照射手段を有する眼科装置の制御方法であって、
前記被検眼に対する前記照射手段の位置が許容範囲の外である場合に、前記被検眼に対して前記照射手段の位置を移動する工程を有する。
また、本発明の眼科装置の制御方法の一つは、
被検眼の断層画像を取得するための第１の光と、前記被検眼の屈折力を取得するためであり且つ前記被検眼における前記第１の光の照射領域の径よりも大きい照射領域の径となる第２の光とをそれぞれ前記被検眼に照射する照射手段を有する眼科装置の制御方法であって、
前記被検眼に対する前記照射手段の位置が許容範囲の内か外かを示す情報に基づいて、前記被検眼に対する前記照射手段の位置が前記屈折力の取得可能な範囲内か否かを判断する工程を有する。
また、本発明のプログラムは、上記したいずれかの眼科装置の制御方法の各工程をコンピュータに実行させることを特徴とする。
【発明の効果】
【０００８】
本発明によれば、被検眼の断層画像の撮像と眼底画像の撮像とを行うに際し、  これらの撮像におけるアライメント位置の調整操作の煩雑さを軽減することが可能となる眼科装置および眼科装置の制御方法、そのプログラムを実現することができる。
【図面の簡単な説明】
【０００９】
【図１】本発明の実施例における光画像撮像装置の制御方法を説明するための図である。図１（ａ）は実施例１における光画像撮像装置の制御方法の手順について説明するフローチャート、図１（ｂ）は実施例２における光画像撮像装置の制御方法の手順について説明するフローチャートである。
【図２】本発明の実施例１と実施例２における被検眼と観察用光束について説明する図である。
【図３】本発明の実施例１と実施例２におけるアライメント用画面について説明する図である。
【図４】本発明の実施例１と実施例２における眼科装置の全体構成を説明する模式図である。
【図５】本発明の実施例１と実施例２における光学系構成を説明するための模式図である。
【図６】本発明の実施例１と実施例２における眼底アライメントの判断手段を説明するための模式図である。
【発明を実施するための形態】
【００１０】
本発明を実施するための形態を、以下の実施例により説明する。
【実施例】
【００１１】
［実施例１］
実施例１として、本発明を適用した光画像撮像装置（眼科装置）およびその制御方法の構成例について説明する。
本実施例に用いられる光画像撮像装置は、光干渉に基づく情報を用い被検眼の眼底の３次元の断層画像を撮像する断層画像撮像部と、該断層画像撮像部よりも大きい観察瞳孔径（被検眼における第１の光の照射領域の径よりも大きい照射領域の径）となる第２の光を用いて２次元の眼底画像を撮像する眼底画像撮像部を備える。
本実施例の光画像撮像装置の構成例である眼科装置の一例を、図４（ａ）と図４（ｂ）に示す。
図４（ａ）は、眼科装置の側面図であり、２００は眼科装置、１００は干渉計部、９００は眼底カメラ本体部、４００はアダプター、５００はカメラ部である。ここで、眼底カメラ本体部９００とアダプター４００とカメラ部５００とは光学的に接続されている。
【００１２】
アダプター４００は眼底カメラ本体部９００に対して相対的に移動可能（位置調整可能）に保持されている。
そのため、大まかな光学的調整を行うことができる。
また、アダプター４００と干渉計部１００とは光ファイバー１４８を介して光学的に接続されている。アダプター４００と干渉計部１００とはコネクタ４１０とコネクタ１４７とをそれぞれ有している。
そのため、簡単に取り付け及び取り外しが可能である。９２５はパソコンであり、断層画像の構成等を行う。
また、９０５は制御回路部である。
また、９２８は表示用のモニタ、９２９はハードディスクなどからなる記憶部である。制御回路部９０５および記憶部９２９は、パソコン９２５内部に配置されていてもよい。
パソコン９２５と制御回路部９０５とで本実施例における制御手段を構成している。３２３はあご台であり、被検者のあごと額とを固定することで、被検者の眼（被検眼）の固定を促す。
【００１３】
９０３は被検眼に位置合わせするための位置合わせ部を構成するジョイスティックであり、検者（操作者）が操作する。９０４は操作ボタンであり、断層画像撮像および眼底画像撮像の撮像操作の入力を行う。
ジョイスティック９０３を操作することで、固定台部９５１に対して摺動台部９５２を図４（ａ）中のｘｚ方向に移動可能としてある。
ｙ方向の移動にはジョイスティック９０３の一部を回転させることで撮像に関する光学系を含む光学ヘッド部９５３（図４（ａ）中の点線部内）を上下させるための不図示のベルト伝達機構とヘリコイド機構を備えている。
これらによりジョイスティック９０３の操作によって被検眼に対する装置のｘｙｚのアライメント調整が可能となっている。
９０１は表示部であり、画像情報などを表示する。
【００１４】
また、図４（ｂ）に示したように、眼底カメラ本体部９００とカメラ部５００とで１つの眼底カメラ７００として構成できる。
このとき、干渉計部１００は使用しないので、制御回路部９０５も使用する必要はない。
眼底カメラ７００において、カメラ部５００を眼底カメラ本体部９００から取り外し、カメラ部５００と眼底カメラ本体部９００との間にアダプター４００を取り付けることで、眼科装置２００として構成することができる。
【００１５】
つぎに、図５（ａ）を用いて、本実施例におけるアダプターを含んだ眼科装置の光学系の構成について説明する。
まず、眼底カメラ本体部９００とアダプター４００について説明する。被検眼１０７に対向して対物レンズ３０２が設置され、その光軸上で孔あきミラー３０３によって光路３５１と光路３５２とに分岐される。
光路３５２は被検眼１０７の眼底を照明する照明光学系を形成している。眼底カメラ本体部９００の下部には、被検眼１０７の位置合わせに用いられるハロゲンランプ３１６、被検眼１０７の眼底の撮像に用いるストロボ管３１４が設置されている。
ここで、３１３、３１５はコンデンサレンズ、３１７はミラーである。ハロゲンランプ３１６とストロボ管３１４とからの照明光はリングスリット３１２によってリング状の光束となり、孔あきミラー３０３によって反射され、被検眼１０７の眼底を照明する。
また、３０９、３１１はレンズ、３１０は光学フィルターである。また、光路３５２上に不図示のアライメント光学系を備える。
これは眼底に焦点を合わせるためのスプリットイメージや被検眼１０７と眼科装置２００内の光学系の光軸を一致させるための指標であるワーキングドットなどを投影するためのものである。
【００１６】
光路３５１は被検眼１０７の眼底の断層画像及び眼底画像を撮像する光学系を形成している。
孔あきミラー３０３の右方にはフォーカスレンズ３０４と結像レンズ３０５が設置されている。
ここで、フォーカスレンズ３０４は不図示のノブを検者が操作することにより図中矢印にて示す光軸方向に移動可能に支持されている。
次に、クイックリターンミラー３１８を介して、光路３５１は固視灯３２０及び赤外線用エリアセンサ３２１に導かれている。
クイックリターンミラー３１８は断層画像撮像に用いる波長範囲の赤外光、具体的には約８００ｎｍ以上の光は透過し、約８００ｎｍ以下の波長の光は反射するように構成される。
赤外線用エリアセンサ３２１で得た画像情報は表示部９０１あるいはモニタ９２８（図４参照）に表示され、被検眼の位置合わせに用いられる。
また、３１９はダイクロイックミラーであり、固視灯３２０方向に可視光が、赤外線用エリアセンサ３２１方向に赤外光がそれぞれ分岐されるよう設計されている。
次に、光路３５１はミラー３０６、フィールドレンズ３２２、ミラー３０７、リレーレンズ３０８を介して、アダプター４００側に導かれる。
アダプター４００は、ダイクロイックミラー４０５、リレーレンズ４０６、４０７、コリメートレンズ４０９、ＸＹスキャナ４０８、コネクタ４１０を含み構成される。
なお、図４（ｂ）に示した眼底カメラ７００の状態の場合には眼底カメラ本体部９００内のリレーレンズ３０８がカメラ部５００内のエリアセンサ５０１に眼底画像を結像するよう構成されている。
光路３５１はダイクロイックミラー４０５を介して、断層画像撮像用の光路３５１−１と眼底画像撮像用の光路３５１−２とに分割される。
ＸＹスキャナ４０８は一つのミラーとして記したが、実際にはＸスキャン用ミラーとＹスキャン用ミラーとの２枚のミラーが近接して配置される。また、光路３５１−１の光軸はＸＹスキャナ４０８の２つのミラーの回転中心と一致するように調整されている。
【００１７】
カメラ部５００は眼底画像を撮像するためのデジタル一眼レフカメラである。アダプター４００とカメラ部５００とは汎用のカメラマウントを介して接続される。
そのため、容易に着脱が可能である。５０１はエリアセンサであり、その表面に眼底画像が形成される。
９０５は制御回路部であり、眼底アライメント状態が許容範囲かを判断する判断部としての画像処理部９２６を備える。画像処理部９２６の動作については後述する。
なお、８０１（点線内）は本実施例の断層画像撮像部、８０２（一点鎖線内）は眼底画像撮像部を示す。
断層画像撮像部８０１と眼底画像撮像部８０２は光学系の一部を共用する。
例えば、対物レンズ３０２、孔あきミラー３０３、フォーカスレンズ３０４、結像レンズ３０５、クイックリターンミラー３１８、ミラー３０６、フィールドレンズ３２２、ミラー３０７、リレーレンズ３０８、ダイクロイックミラー４０５、等を共通に用いる。
【００１８】
つぎに、干渉計部１００の構成について図５（ｂ）を用いて説明する。
図５（ｂ）において、１０１は光源、１１４はミラー、１１５は分散補償用ガラス、１１７は電動ステージ、９０５は制御回路部、１３０はシングルモード用の光ファイバー、１３１は光カプラー、１３５はレンズ、１８０は分光器である。本実施例においては、干渉計部１００は、被検眼１０７の網膜１２７の断層画像を取得する。
干渉計部１００はマイケルソン干渉系を構成している。光源１０１から出射された光は光ファイバー１３０−１を通じ光カプラー１３１を介して測定光１０５と参照光１０６とに分割される。
測定光１０５は光ファイバー１３０−２およびコネクタ１４７を介し、光ファイバー１４８に接続される。光ファイバー１４８が接続されるアダプター４００および眼底カメラ本体部９００を介して、観察対象である被検眼１０７の網膜１２７に照射された測定光は、網膜１２７による反射や散乱により戻り光１０８となって光カプラー１３１に到達する。
【００１９】
一方、参照光１０６は光ファイバー１３０−３、レンズ１３５−１、測定光と参照光の分散を合わせるために挿入された分散補償ガラス１１５を介してミラー１１４に到達し反射される。そして分散補償ガラス１１５、レンズ１３５−１、光ファイバー１３０−３を介して光カプラー１３１に到達する。
【００２０】
光カプラー１３１によって、戻り光１０８と参照光１０６は合波され干渉光となる。
ここで、測定光１０５及び戻り光１０８の光路長（以下、単に測定光１０５の光路長）と参照光１０６の光路長がほぼ同一となったときに干渉を生じる。
ミラー１１４は光軸方向に調整可能な電動ステージ１１７上に保持され、被検眼１０７によって変わる測定光１０５の光路長に参照光１０６の光路長を合わせることが可能である。
干渉光は光ファイバー１３０−４を介して分光器１８０に導かれ、レンズ１３５−２を介して平行光となった後、回折格子１８１で分光され、レンズ１３５−３によってラインセンサ１８２に結像される。
【００２１】
つぎに、光源１０１の周辺について説明する。
光源１０１は代表的な低コヒーレント光源であるＳＬＤ（Ｓｕｐｅｒ  Ｌｕｍｉｎｅｓｃｅｎｔ  Ｄｉｏｄｅ）である。
中心波長は８３０ｎｍ、バンド幅５０ｎｍである。ここで、バンド幅は、得られる断層画像の光軸方向の分解能に影響するため、重要なパラメーターである。
また、光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等も用いることができる。
中心波長は眼を測定することを鑑みると、近赤外光が適する。また、中心波長は得られる断層画像の横方向の分解能に影響するため、なるべく短波長であることが望ましい。双方の理由から中心波長を８３０ｎｍとした。
本実施例では干渉計としてマイケルソン干渉計を用いたが、マッハツェンダー干渉計を用いてもよい。
測定光と参照光との光量差に応じて光量差が大きい場合にはマッハツェンダー干渉計を、光量差が比較的小さい場合にはマイケルソン干渉計を用いることが望ましい。
【００２２】
つぎに、眼科装置２００を用いた断層画像および眼底画像の撮像方法について説明する。
眼底画像撮像装置２００はＸＹスキャナ４０８を制御することで、網膜１２７における所望部位の断層画像を撮像することができる。
また、断層画像撮像後に眼底画像を撮像する。
ここで、図２（ａ）を用いてＸＹスキャナ４０８のスキャン動作を説明する。
まず、図中ｘ方向に測定光１０５のスキャンを行い、ｘ方向の撮像範囲から所定の撮像本数の情報をラインセンサ１８２で取得する。
ｘ方向のある位置で得られる線状の画像をＡスキャン画像と呼び、複数のＡスキャン画像を並べた２次元の画像をＢスキャン画像と呼ぶ。
１つのＢスキャン画像を構築する複数のＡスキャン画像を取得した後、ｙ方向のスキャン位置を移動させて再びｘ方向のスキャンを行うことにより、複数のＢスキャン画像を得る。
【００２３】
つぎに、図１（ａ）に示すフローチャートを用いて、本実施例における光画像撮像装置の制御方法の手順について説明する。
ステップ１００１において撮像を開始する。パソコン９２５により撮像用プログラムが実行されてモニタ９２８に撮像用画面を起動する。同時にＸＹスキャナ４０８を動作させる。
次に、ステップ１００２において、眼底アライメント画像を表示する。この眼底アライメント画像の表示について、図３を用いて説明する。
図３において、２２０１はエリアセンサ３２１で得られる赤外線画像である眼底アライメント画像、２２０２は断層画像撮像のアライメントの際に参照する断層撮像アライメント画像、２２０４は断層画像撮像時のスキャン範囲の移動を行うボタンである。
２２０５はインジケータ、２２０６は停止ボタン、２２０７はスライダである。このステップではまず眼底アライメント用画像２２０１のみを表示する。
検者は眼科装置２００と被検眼１０７のアライメントを行う。具体的には、眼底アライメント画像２２０１あるいは同じ画像を示す表示部９０１を見ながら、ジョイスティック９０３を操作してワーキングドット２２１１が上下左右均等な位置かつ最も精細になるように調整する。
これにより、装置側の光軸中心を被検眼１０７の光軸中心と一致させ、かつ被検眼１０７と対物レンズ３０２との間隔を適正な距離にすることができる。
また、眼底へのピント合わせを不図示のノブを用い調整する。この際検者は２本のスプリット２２１２が水平に一致するように調整を行う。これらのアライメント操作は従来からある眼底カメラでのアライメントと同じである。
ここで一回ジョイスティックの操作ボタン９０４を押下することでステップ１００３に推移する。
なお、このステップに限らず、停止ボタン２２０６はパソコン９２５に接続される不図示のマウスのクリック動作があればプログラムを終了する。
【００２４】
ステップ１００３において、光源１０１を発光させ、被検眼１０７に断層画像撮像用光束を導く。
また、図３（ａ）の断層画像アライメント用画像２２０２を表示する。なお、眼底アライメント画像２２０１は前ステップより継続して表示する。
断層撮像アライメント画像２２０２は眼底アライメント画像２２０１内に示されるスキャン範囲２２０８の中央線２２０８ａ付近の断層画像（Ｂスキャン）である。
断層撮像アライメント画像２２０２は表示の更新を高速とするために、実際の撮像で得るＡスキャン数よりも少ないＡスキャン数で構成する。
検者は、スライダ２２０７を調整して断層撮像アライメント画像２２０２に断層画像が表示され、さらに、断層像が明るくなるようにスライダ２２０７を操作してゲート位置を調整する。
これは、参照光１０６の光路長を測定光１０５の光路長に合わせる調整であり、スライダ操作に対して図５（ｂ）の電動ステージ１１７の動作を制御してミラー１１４の位置を移動させることによって行う。
ゲート位置を検者が調整するとしたが、画面中の輝度などを元に自動調整を行ってもよい。スライダ２２０７はゲート位置が検者方向あるいは被検者方向のどの位置にゲート位置があるかを示し、調整のガイドとなる。
また、インジケータ２２０５は表示している断層撮像アライメント画像２２０２の輝度値の最大値と背景ノイズの輝度値の比を示すもので右側に行くほど画像のコントラストが高くなることを示す。
【００２５】
ここで、被検眼１０７に、例えば白内障などによって生じる部分的な濁りがある場合について図２（ａ）〜（ｃ）によって説明する。
１０５は断層画像撮像用の測定光の光束、１０７は被検眼、１０９は眼底画像撮像用の光束、１１０は部分的な濁り、１２６は虹彩、１２７は眼底を示す。
ステップ１００２で健康な被検眼１０７と光学ヘッド部９５３の位置調整が行われた状態が図２(ａ)である。
図２（ｂ）はこれに対して部分的な濁り１１０が特に光路中央部にある場合を示し、断層撮像用の測定光の光束１０５は散乱されてほとんどが眼底１２７に到達しない。
よって、断層撮像アライメント画像２２０２内の断層画像が非常に暗くなる。
この場合、検者が積極的にジョイスティック９０３によって光学ヘッド部９５３の位置の調整、特に光軸に垂直な方向の調整を行うと、濁り１１０を避けて断層画像撮像用の測定光の光束１０５を眼底に導くことが出来る（図２（ｃ））。
その際には、断層撮像アライメント画像２２０２内の断層画像が明るくなる。
一方、図２（ｃ）に示すように観察瞳孔径の違いにより眼底画像撮像用の光束１０９は断層画像撮像用の測定光の光束１０５よりも外側を通る。
そのため、図２（ｃ）の状態で眼底写真を撮像すると、眼底画像撮像用の光束が虹彩１２６に当たり眼底画像の一部にフレアを生じるため、以降のステップでこれを防ぐ。
【００２６】
ステップ１００４において、ステップ１００３で検者がアライメント調整した状態での眼底画像撮像部８０２（光学ヘッド部９５３内に含まれている）の撮像位置が、画像処理部９２６（図５（ａ）参照）によって、眼底画像撮像に適した状態か否かを判断する。
画像処理部９２６は眼底アライメント画像２２０１の画像処理を行う。
この画像処理の一つの例を、図６（ａ）で説明する。
画像内の高輝度点であるワーキングドット２２１１の位置が設定範囲２２２１から出る場合に、眼底画像撮像部８０２の撮像位置を許容範囲外と判断する。
もう一つの画像処理の例を、図６（ｂ）で説明する。
眼底アライメントがずれると眼底アライメント画像２２０１の周辺部が明くなる部分２２２３が生じる。
境界線２２２２より外側の周辺部エリアの画像輝度値を積算して、アライメント画像２２０１全体の平均値と比較してある割合以上であれば、眼底画像撮像部８０２の撮像位置を許容範囲外と判断する。
【００２７】
ここで、ステップ１００４において、眼底画像撮像部の位置が許容範囲内と判断された場合、ステップ１０１０において操作ボタン９０４の押下を待ち受ける状態となる。操作ボタン９０４の押下によってステップ１０１１に進む。
ステップ１０１１において断層画像撮像を行う。このステップで眼底カメラ本体部９００のクイックリターンミラー３１８は降りており、分岐用のダイクロイックミラー４０５部には断層画像撮像用の測定光１０５のみ導かれる。
カメラ部５００には光が導かれない。ここでＸＹスキャナ４０８を前もって決められたスキャンの仕様に基づいて動作させ、眼底各位置での干渉信号をラインセンサ１８２から制御回路部９０５を介してパソコン９２５が読み出す。
ラインセンサ１８２の各画素には分光された波長の光が入射されている。このラインセンサ１８２で得られる波長ごとの強度情報をフーリエ変換することにより得られる波形が、眼底各位置での深さ方向に関する戻り光１０８の強度情報となる。
これは一般的なＳＤ（Ｓｐｅｃｔｒａｌ  Ｄｏｍａｉｎ）−ＯＣＴの原理である。このラインセンサ１８２の読み出し１回で得られる戻り光１０８の強度情報を画像の明るさに変換した線状の画像が前述のＡスキャン画像である。本ステップでは各位置での強度情報を取得するまでを行う。
ステップ１０１２において、ステップ１０１１から自動的に進行して眼底画像撮像を行う。
所定の断層画像の取得が終了すると、ストロボ管３１４を発光させ、同時にクイックリターンミラー３１８を跳ね上げ、カメラ部５００を用いて、眼底画像を撮像し記憶部９２９に保存する。
ステップ１０１３において、ステップ１０１２から自動的に推移し、撮像終了である。
【００２８】
一方、ステップ１００４において、眼底画像撮像部の位置が許容範囲外と判断された場合、ステップ１００５に進み、検者に眼底画像撮像が不良となることを知らせるメッセージと選択ボタンを表示画面上に表示して、ボタン選択を待ち受ける状態となる。
図３（ｂ）に示すように「眼底写真のアライメントにずれがあり、眼底写真が失敗する恐れがあります。眼底写真撮像とＯＣＴ撮像を同時に行いますか？」というメッセージボックス２３０１を表示する。
そして、そのメッセージボックス内に、ボタン２３０２およびボタン２３０３を表示する。
このボタン２３０２、２３０３のどちらかを選択することにより、眼底画像撮像の前に撮像待機状態を設けるかどうかを選択可能としている。
ボタン２３０２がマウスのクリックにより選択された場合には前述のステップ１０１０に進む。その後の動作は前述と同じである。
【００２９】
ボタン２３０３がマウスのクリックにより選択された場合にはステップ１００７に進む。
ステップ１００７においてジョイスティック９０３に設けられた操作ボタン９０４の押下を待ち受ける状態となる。操作ボタン９０４の押下によってステップ１００８に進む。
ステップ１００８において断層画像撮像を行う。断層画像撮像動作は前述のステップ１０１１と同じである。
ステップ１００９はジョイスティック９０３に設けられた操作ボタン９０４の押下を待ち受ける状態となる。
ここで、検者は再度眼底アライメント画像２２０１を参照して眼底アライメントを行う。
このステップで検者に眼底アライメントを促すメッセージ、例えば「眼底写真撮像のための再アライメントをしてください」という表示をさせてもよい。
操作ボタン９０４の押下によってステップ１０１２に進む。ステップ１０１２以降は前述の動作と同じである。
【００３０】
ここで、眼底写真を撮影する前に、再アライメントを促す表示を行っている状態が、本実施例における撮像待機状態に対応する。なお、表示形態は、これに限らず、必要に応じた表示であれば充分である。また、所定時間内に再アライメントが実行されなかった場合、眼底写真の撮像を実行するような構成を撮像待機状態としても良い。
撮像が終了した後、撮像したＢスキャン画像あるいは複数のＢスキャン画像より構成した３次元画像および眼底画像をモニタ９２８に表示する。
なお、ステップ１００２（眼底アライメント画像表示）とステップ１００３（断層撮像アライメント画像表示）を順次行うとしたが、同時に表示してもよい。
この場合ステップ１００１からステップ１００２に推移する際に光源を発光させる。ただし、検者は眼底アライメントを行った後、断層画像撮像のアライメントを行うことが通常の操作である。
【００３１】
また、本実施例においては眼底観察部として眼底表面の２次元画像を撮像する眼底撮像部としたが、断層画像撮像部に対して観察瞳孔径が大きい眼底観察手段に対しても同様の結果を得ることができる。
この眼底観察部の他の例としては、眼底で結像されるスポット光の反射像から屈折力を数値化するオートレフラクトメータがある。
眼底カメラを選択した場合には眼底画像と断層画像という相互に関連の高い画像を比較できることで診断に利用する際に便利である。
また、画像処理部９２６を制御回路部９０５に備えるとしたが、眼底カメラ本体部９００やアダプター４００に備えてもよく、パソコン９２５内のソフトウエアとして備えてもよい。
【００３２】
以上述べたように、本実施例における眼科装置によれば、眼底撮像時の眼底アライメントずれを防止することが可能となる。
また、断層撮像アライメント画像および眼底アライメント画像を同時にチェックしながら操作を行う必要が無く、操作の煩雑さを軽減したことで検者の負担を小さくすることができる。
本実施例における眼科装置は、眼底カメラ部を眼底カメラ本体部９００とカメラ部５００とから構成することで、眼底カメラ本体部９００とカメラ部５００との間に着脱自在に設けている。
このようにカメラ部５００と干渉計部１００とに光路を分岐するためのアダプター４００を設けることにより、眼底カメラ単体として使用していた装置を、眼底撮像機能を備えた装置とすることができ、利用効率を向上させることができる。
【００３３】
［実施例２］
実施例２として、実施例１と異なる構成例の眼科装置について説明する。
本実施例の眼科装置は、実施例１に対して眼科装置の構成に関して、アライメントをモータなどアクチュエータを用いた制御によって行う点が異なっている。
また、撮像方法に関しても、再眼底アライメントを自動化した点が異なっている。
本実施例の眼科装置では、図４（ａ）の眼科装置において、ジョイスティック９０３の動作を不図示のセンサで読み取るように構成される。
その動作量に基づいて、制御回路部９０５およびパソコン９２５によって不図示のアクチュエータの制御を行い光学ヘッド部９５３を移動させることでアライメント動作を行う。
本実施例では図中ｘｙｚ各方向に対してアクチュエータを備える。
アクチュエータはステッピングモータと微細なピッチをもつネジおよびギアの回転伝達機構からなる一般的な直動タイプの物を使用している。アクチュエータは他の方式のものであってもよい。
各部における光学系の構成は、実施例１と同様であるから説明を省略する。
【００３４】
つぎに、図１（ｂ）のフローチャートを用いて、本実施例における光画像撮像装置の制御方法の手順について説明する。
なお、実施例１と同様の動作を行う箇所については、説明を省略する。
図１（ｂ）に示すように、まず、ステップ２００１において撮像を開始する。
次に、ステップ２００２において、眼底アライメント用画像を表示する。検者はこのステップで眼科装置２００と被検眼１０７の光軸位置合わせを行う。操作ボタン９０４の押下によってステップ２００３に進む。
次に、ステップ２００３において、光学ヘッド部９５３の位置情報をパソコン９２５の記憶部９２９に保存する。
操作ボタン９０４は前ステップ２００３においてのみ、この記憶動作の入力部となっている。
また、操作ボタン９０４の押下によって本眼科装置は記憶動作の入力信号を得る。
本実施例では、位置情報とはステッピングモータの回転移動量を表す累積パルス数である。
また、光源１０１を発光させて被検眼１０７に断層画像撮像用の測定用の光束１０５を導くとともにステップ２００４に推移する。
次に、ステップ２００４において、図３の断層画像アライメント用画像２２０２を表示する。
検者はゲート位置の調整および、ジョイスティックによるアライメントを行って断層画像撮像アライメント画像２２０２内の断層像が明るくなるようにする。ステップ２００５に自動的に推移する。
次に、ステップ２００５において、ステップ２００４で検者が調整した状態を画像処理部９２６によって眼底画像撮像に適した状態か否かを判断する。これは実施例１と同じである。
【００３５】
ここで、ステップ２００５において、眼底画像撮像部の位置が許容範囲内と判断された場合、ステップ２００９に推移する。
ステップ２００９においてジョイスティック９０３に設けられた操作ボタン９０４の押下を待ち受ける状態となる。操作ボタン９０４の押下によってステップ２０１０に進む。
ステップ２０１０において断層画像撮像を行う。
ステップ２０１１においてステップ２０１０から自動的に推移して眼底画像撮像を行う。
ステップ２０１２はステップ２０１１から自動的に推移し、撮像終了する。
一方、ステップ２００５において、眼底画像撮像部の位置が許容範囲外と判断された場合、ステップ２００６に推移する。
ジョイスティック９０３に設けられた操作ボタン９０４の押下を待ち受ける状態となる。操作ボタン９０４の押下によってステップ２００７に進む。
ステップ２００７において断層画像撮像を行う。ステップ２００８に自動的に推移する。
ステップ２００８において、ステップ２００３で記憶した位置情報に基づいて光学ヘッド部９５３を移動する。
具体的には記憶した累積パルス数と同一となるようステッピングモータを回転させる。
次に自動的にステップ２０１１に推移する。それ以降は前述の動作と同じである。
【００３６】
以上述べたように本実施例における眼科装置は、眼底アライメント状態によっては、眼底画像撮像前にアライメント位置の自動復帰を行う。
これにより、眼底写真撮像時の眼底アライメントずれを防止することが可能となる。
また、検者は眼底画像撮像において再アライメントの必要が無くなり、実施例１に比較して検者の負担をさらに軽くすることができる。
また、以上で説明した各実施例での光画像撮像装置の制御方法において、これらの制御方法における制御部を構成するコンピュータ（パソコン）に実行させるためのプログラムを作製し、このプログラムを記憶媒体に記憶させ、コンピュータに読み取らせるように構成することができる。
【符号の説明】
【００３７】
２００：眼科装置
８０１：断層画像撮像部
８０２：眼底画像撮像部（眼底観察部）
９０４：操作ボタン（入力部）
９０５：制御回路部
９２５：パソコン
９２６：画像処理部（判断部）
【図１】
0005627248.tif 000002
【図２】
0005627248.tif 000003
【図３】
0005627248.tif 000004
【図４】
0005627248.tif 000005
【図５】
0005627248.tif 000006
【図６】
0005627248.tif 000007